(57)【特許請求の範囲】
【請求項１】
洗浄水により洗浄される洋風便器本体と、該洋風便器本体の背後に設けられるベースプレートと、該ベースプレート上に設けられ、該洗浄水を貯留する洗浄タンクと、該ベースプレート上に設けられ、該洋風便器本体に種々の機能を付与可能な機能装置と、該洗浄タンク及び該機能装置を収納するタンクカバーと、該タンクカバーに揺動可能に設けられた便座装置とを備えた洋風水洗式便器において、
前記ベースプレートは、前記洋風便器本体に固定され、少なくとも前記洗浄タンクを載置する後部ベースプレートと、該後部ベースプレートに対して昇降装置により昇降可能に設けられ、前記タンクカバー全体が固定される前部ベースプレートとからなることを特徴とする洋風水洗式便器。
【請求項２】
前部ベースプレート又はタンクカバーには水を貯留しない機能装置が固定されていることを特徴とする請求項１記載の洋風水洗式便器。
【請求項３】
タンクカバーは、前部ベースプレートに固定される前部カバーと、該前部カバーの背後に位置し、該前部カバーに載置して昇降する後部カバーとからなることを特徴とする請求項１又は２記載の洋風水洗式便器。
【請求項４】
前部カバーは、下端で突出する第１支持部と、上端で突出する第２支持部とが形成され、該後部カバーは、下端で該第１支持部に載置する第１被支持部と、上端で該第２支持部に載置する第２被支持部とが形成されていることを特徴とする請求項３記載の洋風水洗式便器。
【請求項５】
第１支持部は前部カバーの内側に突出する第１凸部であり、第２支持部は該前部カバーの上方に突出する第２凸部をもち、第１被支持部は該第１凸部と係合する第１凹部であり、第２被支持部は該第２凸部と係合する第２凹部をもつことを特徴とする請求項４記載の洋風水洗式便器。
【発明の詳細な説明】
【０００１】
【発明の属する技術分野】
本発明は洋風水洗式便器に関する。
【０００２】
【従来の技術】
一般的に、陶磁器製の洋風便器本体と、この洋風便器本体の背後に設けられたベースプレートと、ベースプレート上に設けられ、洗浄水を貯留する洗浄タンクと、ベースプレート上に設けられ、洋風便器本体の便鉢内を脱臭する脱臭装置等の機能装置とを備えた洋風水洗式便器が知られている。洗浄タンク及び機能装置はタンクカバーに収納されており、タンクカバーには便座及び便蓋からなる便座装置が揺動可能に設けられている。
【０００３】
この洋風水洗式便器では、使用者が用を足した後、操作スイッチを操作する等すれば、洗浄タンクから洋風便器本体へ洗浄水が供給され、洋風便器本体を洗浄することができる。また、脱臭装置等の機能装置が洋風便器本体に種々の機能を付与することができる。
【０００４】
【発明が解決しようとする課題】
しかし、上記従来の洋風水洗式便器では、ベースプレートが洋風便器本体に固定され、このベースプレート上に洗浄タンク、タンクカバー等が設けられている。このため、洋風便器本体の後部上面が僅かな隙間を残してそれらの部材で常に覆われ、その隙間を通じて尿等の汚れがその後部上面に付着した場合でも、その汚れを除去することが困難となっていた。このため、その汚れが原因となって異臭が発生するとともに不衛生ともなっていた。
【０００５】
この点、特開２０００−３３０５１号公報、特開２０００−１０４３０７号公報又は特開２００１−２３１７１５号公報に開示された洋風水洗式便器はその不具合を解消することができる。すなわち、これらの洋風水洗式便器では、ベースプレートは、洋風便器本体に固定され、少なくとも洗浄タンクを載置する後部ベースプレートと、この後部ベースプレートに対して昇降装置により昇降可能な前部ベースプレートとから構成されている。また、タンクカバーは、後部ベースプレートに固定される後部カバーと、前部ベースプレートに固定される前部カバーとから構成されている。これらの洋風水洗式便器では、前部ベースプレートを昇降装置によって上昇させれば、前部ベースプレートとともに前部カバーが上昇するため、洋風便器本体の後部上面を剥き出しにすることができる。このため、洋風便器本体の後部上面に付着している尿等の汚れを容易に除去することが可能となり、この汚れに起因する異臭の発生を防止することができるとともに衛生的ともなる。
【０００６】
しかしながら、上記各公報記載の洋風水洗式便器では、タンクカバーが後部カバーと前部カバーとから構成され、前部カバーのみが前部ベースプレートに固定されている。このため、前部ベースプレートを上昇させた場合、前部カバーのみが上昇する。この状態では、前部カバーが後部カバーと支え合うことはなく、前部カバーが不安定な状態で起立することとなる。特に、この種の洋風水洗式便器では、容易に昇降を行なうべく、肉厚が薄いことにより軽量化された前部カバーを採用しやすいことから、その場合にはその前部カバーは容易に撓んでしまう。このため、前部ベースプレートが上昇した状態で外部から前部カバーに過度の力が加わった場合、前部ベースプレートが前部カバーを固定する部分や前部カバー自身に変形を生じるおそれがあり、耐久性が危惧される。
【０００７】
本発明は、上記従来の実情に鑑みてなされたものであり、異臭が発生し難いとともに衛生的であり、かつ耐久性に優れた洋風水洗式便器を提供することを解決すべき課題としている。
【０００８】
【課題を解決するための手段】
本発明の洋風水洗式便器は、洗浄水により洗浄される洋風便器本体と、該洋風便器本体の背後に設けられるベースプレートと、該ベースプレート上に設けられ、該洗浄水を貯留する洗浄タンクと、該ベースプレート上に設けられ、該洋風便器本体に種々の機能を付与可能な機能装置と、該洗浄タンク及び該機能装置を収納するタンクカバーと、該タンクカバーに揺動可能に設けられた便座装置とを備えた洋風水洗式便器において、
前記ベースプレートは、前記洋風便器本体に固定され、少なくとも前記洗浄タンクを載置する後部ベースプレートと、該後部ベースプレートに対して昇降装置により昇降可能に設けられ、前記タンクカバー全体が固定される前部ベースプレートとからなることを特徴とする。
【０００９】
本発明の洋風水洗式便器では、洋風便器本体に固定された後部ベースプレートに対して昇降装置により昇降可能な前部ベースプレートにタンクカバー全体が固定されている。このため、前部ベースプレートを昇降装置によって上昇させれば、タンクカバー全体が上昇することとなり、これにより洋風便器本体の後部上面を剥き出しにすることができる。こうして、洋風便器本体の後部上面に付着している尿等の汚れを容易に除去することが可能となり、この汚れに起因する異臭の発生を防止することができるとともに衛生的ともなる。
【００１０】
また、タンクカバー全体が前部ベースプレートに固定されているため、前部ベースプレートを昇降装置により上昇させれば、タンクカバー全体が上昇する。このため、この状態において、タンクカバーは、強度の大きな筒形状又は容器形状を保って起立することとなり、例え肉厚を薄くして軽量化されていても、容易に撓むことはない。このため、この状態で外部からタンクカバーに過度の力が加わった場合であっても、前部ベースプレートがタンクカバーを固定する部分やタンクカバー自身が変形し難く、優れた耐久性を発揮する。
【００１１】
したがって、本発明の洋風水洗式便器は、異臭が発生し難いとともに衛生的であり、かつ耐久性に優れている。
【００１２】
前部ベースプレート又はタンクカバーには水を貯留しない機能装置が固定されていることが好ましい。水を貯留しない機能装置は、例えば、洋風便器本体上で便座や便蓋を自動的に開閉させる自動開閉装置、便座上に着座した使用者の局部を洗浄可能な局部洗浄装置のうち温水タンクを除く洗浄ノズル等、洋風水洗式便器の使用者を検知する人体検知センサ等である。こうであれば、前部ベースプレートを昇降装置によって上昇させることにより、前部ベースプレート又はタンクカバーに固定された機能装置が上昇した場合でも、それら機能装置は水を貯留していないことから軽量であり、タンクカバーに大きな荷重が作用しない。このため、タンクカバーが確実に撓み難く、優れた耐久性を発揮する。また、前部ベースプレートを振動させたり傾けたりすることがなく、円滑に前部ベースプレート及びタンクカバーを昇降させることができる。また、こうして、前部ベースプレート又はタンクカバーに多くの機能装置を固定すれば、前部ベースプレート及びタンクカバーの上昇により洋風便器本体の後部上面が広く開放されることとなり、洋風便器本体の後部上面の汚れの除去作業が容易となる。
【００１３】
また、タンクカバーは、前部ベースプレートに固定される前部カバーと、前部カバーの背後に位置し、前部カバーに載置して昇降する後部カバーとからなることができる。こうであれば、タンクカバーを前部カバーと後部カバーとに分割して容易に製造でき、意匠性に優れた洋風水洗式便器となる。また、前部カバーと後部カバーとに分割して容易に取り外したり、取り付けたりすることが可能となるため、タンクカバー内に収納されている洗浄タンクや機能装置の点検や修理を容易に行うことができる。
【００１４】
前部カバーは、下端で突出する第１支持部と、上端で突出する第２支持部とが形成され、後部カバーは、下端で第１支持部に載置する第１被支持部と、上端で第２支持部に載置する第２被支持部とが形成されていることができる。こうであれば、第１支持部に第１被支持部を載置するとともに第２支持部に第２被支持部を載置することにより、前部ベースプレート及び前部カバーを昇降装置によって昇降させる際、タンクカバーを一体に昇降させることができる。
【００１５】
この場合、第１支持部は前部カバーの内側に突出する第１凸部であり、第２支持部は前部カバーの上方に突出する第２凸部をもち、第１被支持部は該第１凸部と係合する第１凹部であり、第２被支持部は該第２凸部と係合する第２凹部をもつことができる。こうであれば、第１凸部に第１凹部を係合させるとともに第２凸部に第２凹部を係合することにより、タンクカバーの一体性が向上する。
【００１６】
【発明の実施の形態】
以下、本発明を具体化した実施形態を図面を参照しつつ説明する。
【００１７】
実施形態の洋風水洗式便器は、図１に示すように、陶磁器製の洋風便器本体１の背後にタンクカバー２が設けられている。タンクカバー２は、前方に位置する前部カバー２ａと、後方に位置する後部カバー２ｂとから構成されている。前部カバー２ａの下端の手前側には便座４ａ及び便蓋４ｂからなる便座装置４が揺動可能に取り付けられている。
【００１８】
タンクカバー２内には、図２に示すように、後部ベースプレート１０と前部ベースプレート１１と昇降装置１２とが備えられている。後部ベースプレート１０は洋風便器本体１（図１参照）の後部に固定されており、その凹部１０ａに洗浄タンク５が載置されている。昇降装置１２は後部ベースプレート１０と前部ベースプレート１１との間に設けられており、前部ベースプレート１１はこの昇降装置１２により、後部ベースプレート１０に対して昇降可能とされている。前部ベースプレート１１に前部カバー２ａ及び後部カバー２ｂからなるタンクカバー２が固定されている。また、前部ベースプレート１１には、便座４ａ及び便蓋４ｂの図示しない自動開閉装置、局部洗浄装置のうち温水タンクを除く洗浄ノズル６等、洋風水洗式便器の使用者を検知する人体検知センサ等、水を貯留しない機能装置が固定されている。
【００１９】
前部カバー２ａの側壁には、洗浄レバー２ｃが揺動可能に設けられており、この洗浄レバー２ｃにより洗浄タンク５内の洗浄水を洋風便器本体１に供給可能とされている。タンクカバー２の上端には、手洗鉢７がタンクカバー２と面一となるように載置されている。
【００２０】
図４に示すように、前部カバー２ａの下端の最後部の両側には直方体形状の第１凸部２ｄが内側に突出して設けられている。両第１凸部２ｄの上面が第１支持部である。他方、後部カバー２ｂの最前部には前部カバー２ａ内に挿入される板状の挿入片２ｅが突設されており、この挿入片２ｅの下端には各第１凸部２ｄと係合可能な一対の直方体形状の第１凹部２ｆが下端から凹設されている。両第１凹部２ｆの上面が第１被支持部である。
【００２１】
また、図５に示すように、前部カバー２ａの上端の最後部の両側には上方に突出する第２凸部２ｇが形成されており、各第２凸部２ｇにはネジ穴２ｈが形成されている。両第２凸部２ｇが第２支持部である。他方、後部カバー２ｂの上端の最前部には、前方に向かって水平に延びる支持片２ｉが左右に設けられており、各支持片２ｉには上下方向に貫通する第２凹部としての貫通孔２ｊが設けられている。両貫通孔２ｊが第２被支持部である。各第２凸部２ｇは各貫通孔２ｊと係合可能とされている。
【００２２】
これら前部カバー２ａ及び後部カバー２ｂは以下のように組み付けられる。すなわち、まず前部カバー２ａの各第１凸部２ｄに後部カバー２ｂの各第１凹部２ｆを挿入するとともに、各支持片２ｉの貫通孔２ｊに各第２凸部２ｇを挿入する。この後、各ネジ穴２ｈにビス２ｋを螺合し、各第２凸部２ｇを各支持片２ｉに固定する。
【００２３】
以上のように構成された実施形態の洋風水洗式便器では、通常の使用状態においては、図１に示すように、洋風便器本体１の後部上面が僅かな隙間を残してタンクカバー２に覆われている。この状態において、図２に示す昇降装置１２により、前部ベースプレート１１を上昇させれば、図３に示すように、前部ベースプレート１１に固定された前部カバー２ａが上昇する。これにより、自動開閉装置、洗浄ノズル６等、人体検知センサ等も上昇する。
【００２４】
この際、この洋風水洗式便器では、図４及び図５に示すように、前部カバー２ａの各第１凸部２ｄが各第１凹部２ｆと係合しているとともに、各第２凸部２ｇが各支持片２ｉに固定された状態で各第２凸部２ｇが各貫通孔２ｊと係合している。このため、昇降装置１２により前部ベースプレート１１を上昇させれば、タンクカバー２全体が上昇することとなる。これにより洋風便器本体１の後部上面を剥き出しにすることができる。こうして、洋風便器本体１の後部上面に付着している尿等の汚れを容易に除去することが可能となり、この汚れに起因する異臭の発生を防止することができるとともに衛生的ともなる。
【００２５】
また、この洋風水洗式便器では、タンクカバー２を上昇させれば、図３に示すように、タンクカバー２は強度の大きな筒形状を保って起立することとなり、タンクカバー２は容易に撓むことはない。このため、この状態で外部からタンクカバー２に過度の力が加わった場合であっても、前部ベースプレート１１がタンクカバー２を固定する部分やタンクカバー２自身が変形し難くなり、優れた耐久性を発揮する。
【００２６】
特に、この洋風水洗式便器では、前部ベースプレート１１に自動開閉装置等、水を貯留しない機能装置が固定されているだけである。このため、タンクカバー２には大きな荷重が作用しない。このため、タンクカバー２は確実に撓み難く、優れた耐久性を発揮する。また、前部ベースプレート１１を振動させたり傾けたりすることがなく、円滑に前部ベースプレート１１及びタンクカバー２を昇降させることができる。また、こうして、前部ベースプレート１１又はタンクカバー２に多くの機能装置を固定すれば、前部ベースプレート１１及びタンクカバー２の上昇により洋風便器本体１の後部上面が広く開放されることとなり、洋風便器本体１の後部上面の汚れの除去作業が容易となる。
【００２７】
したがって、この洋風水洗式便器は、異臭が発生し難いとともに衛生的であり、かつ耐久性に優れている。
【００２８】
また、この洋風水洗式便器では、タンクカバー２が前部カバー２ａと後部カバー２ｂとからなるため、タンクカバー２を前部カバー２ａと後部カバー２ｂとに分割して容易に製造でき、意匠性に優れている。
【００２９】
さらに、この洋風水洗式便器では、各ネジ穴２ｈからビス２ｋを外した後、後部カバー２ｂを上に持ち上げれば、各第１凸部２ｄと各第１凹部２ｆとの係合及び各第２凸部２ｇと各貫通孔２ｊとの係合が解除され、後部カバー２ｂを容易に取り外すことができる。このため、タンクカバー２内に収納されている洗浄タンク５や機能装置の点検や修理を容易に行うことができる。
【００３０】
なお、図４に示す挿入片２ｅ、第１凸部２ｄ及び第１凹部２ｆに替えて、図６に示す構成を採用することもできる。すなわち、前部カバー２ａの最後部には、後部カバー２ｂ内に挿入される板状の挿入片２ｎを突設する。また、この挿入片２ｎの下端やや上方に第３凹部２０を凹設する。さらに、後部カバー２ｂの最前部の下端やや上方の両側に直方体形状の第３凸部２ｍを内側に突出して設ける。第３凹部２０は第３凸部２ｍと係合可能である。両第３凹部２０の下面が第１支持部であり、両第３凸部２ｍの下面が第１被支持部である。
【００３１】
こうであっても、後部カバー２ｂの各第３凸部２ｍが各第３凹部２０と係合し、昇降装置１２により前部ベースプレート１１を上昇させれば、タンクカバー２全体が上昇することとなり、同様の効果を奏することができる。
【図面の簡単な説明】
【図１】実施形態の洋風水洗式便器の全体斜視図である。
【図２】実施形態の洋風水洗式便器に係る昇降装置等の分解斜視図である。
【図３】実施形態の洋風水洗式便器に係り、タンクカバーが上昇した状態の全体斜視図である。
【図４】実施形態の洋風水洗式便器に係り、タンクカバーの一部斜視図である。
【図５】実施形態の洋風水洗式便器に係り、タンクカバーの一部側面図である。
【図６】実施形態の変形例の洋風水洗式便器に係り、タンクカバーの一部斜視図である。
【符号の説明】
１…洋風便器本体
１０、１１…ベースプレート（１０…後部ベースプレート、１１…前部ベースプレート）
２…タンクカバー（２ａ…前部カバー、２ｂ…後部カバー）
４…便座装置（４ａ…便座、４ｂ…便蓋）
１２…昇降装置
２ｄ…第１支持部（第１凸部）
２０…第１支持部（第３凹部）
２ｆ…第１被支持部（第１凹部）
２ｍ…第１被支持部（第３凸部）
２ｇ…第２支持部（第２凸部）
２ｊ…第２被支持部（第２凹部、貫通孔）
【図１】
0003889269.tif 000002
【図２】
0003889269.tif 000003
【図３】
0003889269.tif 000004
【図４】
0003889269.tif 000005
【図５】
0003889269.tif 000006
【図６】
0003889269.tif 000007